(57)【要約】【課題】回転運動を往復運動に変換することができる錠前用シリンダ構造を提案すること。【解決手段】固定筒の嵌合孔に内筒及び制御部材を組み込み、また、制御部材と前記固定筒の後端部側に固定した押え板との空間部分に、前記制御部材に係合すると共に、腕状の係合部が前記押え板を通って錠箱内へと延びる出力片を設け、該出力片は、前記制御部材が前記内筒に差し込まれた操作部材の操作力により、制御部材の他端部及び出力片の腕状の係合部に亘って設けられた係合手段を介して回転運動すると、往復運動に変換されることを特徴とする錠前用シリンダ構造。【選択図】図１
2008002257.tif 000002
【特許請求の範囲】
【請求項１】
固定筒の嵌合孔に内筒及び制御部材を組み込み、また、制御部材と前記固定筒の後端部側に固定した押え板との空間部分に、前記制御部材に係合すると共に、腕状の係合部が前記押え板を通って錠箱内へと延びる出力片を設け、該出力片は、前記制御部材が前記内筒に差し込まれた操作部材の操作力により、制御部材の他端部及び出力片の腕状の係合部に亘って設けられた係合手段を介して回転運動すると、往復運動に変換されることを特徴とする錠前用シリンダ構造。
【請求項２】
請求項１に於いて、係合手段は、制御部材の他端部の偏芯部位に設けられた偏芯係合部であり、一方、一端部が固定筒の後端部側に軸支された出力片の腕状係合部に設けられた被係合部であることを特徴とする錠前用シリンダ構造。
【請求項３】
請求項１に於いて、係合手段の偏芯係合部と被係合部との係合関係は、制御部材が回転しようとする初期導入時には偏芯係合部は被係合部に当接せず、該偏芯係合部の位置が多少変位した後に当接することを特徴とする錠前用シリンダ構造。
【請求項４】
請求項３に於いて、係合手段の偏芯係合部は、カム突起であり、一方、被係合部は、カム突起の外形寸法に対して、２倍乃至４倍の内径寸法の間隙を有する切欠であることを特徴とする錠前用シリンダ構造。
【請求項５】
請求項１に於いて、制御部材は、操作部材の先端部が係合する係合部分を有するリング状係合片と、この係合片に一体的に嵌合すると共に、カム突起および合鍵を内筒に差し込むと、その先端部分が入り込む凹所を有するカム板のニ物品で構成されていることを特徴とする錠前用シリンダ構造。
【請求項６】
固定筒の嵌合孔に内筒及び制御部材を組み込み、また、前記固定筒の基端部側に前記制御部材に係合すると共に、腕状の係合部が錠箱内へと延びる出力片を支持部材を介して軸支し、該出力片は、前記制御部材が前記内筒に差し込まれた操作部材の操作力により、制御部材の他端部及び出力片の腕状の係合部に亘って設けられた係合手段を介して回転運動すると、往復運動に変換されることを特徴とする錠前用シリンダ構造。
【発明の詳細な説明】
【技術分野】
【０００１】
本発明は、建具（扉）の錠前に適合するシリンダの構造に関する。
【背景技術】
【０００２】
特許文献１には、「扉に内装した錠箱に、先端が扉面から突出する固定筒の基端を固定し、内筒の前部が外筒の内側から軸線方向に突出するシリンダ錠を固定筒の内側に固定し、内筒の前端面に開口する鍵穴に合鍵を差し込み、前記内筒を回転すると、テールピースと称される係合駆動軸の回転力により、シリンダ錠の後端面に配設された連結部材（「ダルマ」と称されている部材のこと）が回転する事項」が、図１と共に記載されている。
【０００３】
上記の錠前用シリンダ構造は、普通一般に実施化されているように、合鍵の操作力により、回転運動する部材（係合駆動軸）を介して、連結部材（通称、ダルマ）が所定量回転するものである。また、横長の固定筒の後端面からテールピースと称されている前記係合駆動軸が突出し、該係合駆動軸の突出後端部が前記連結部材（ダルマ）に係合している。であるから、従来の錠前用シリンダ構造は、固定筒の前端面から連結部材までの寸法が相当長いものであり、扉の厚みが相当する場合には適合する。
【０００４】
ところで、出願人は、非特許文献に記載のサムターン構造を申請中（非公開事項）である。このサムターン構造は、図１及び図２の右側に記載のとおり、操作板４の外壁面４ａをワンタッチ式に押圧すると、該操作板４は支軸９を支点に所定量スイングし、操作板の内壁面に一体的に設けた押圧腕部材８を介して錠箱内装の受圧可動片（或いはロック片）７を所定方向へと作動させるものである。
【０００５】
ところで、現在、非特許文献に記載のサムターン構造と同様の機能を持つ錠前用シリンダ構造の出現が要望されている。その理由は、特許文献１に記載の錠前用シリンダ構造では、横長であると共に、回転運動を往復運動に変換することができない、薄い扉厚に適用することが困難である、構造が多少複雑である、非特許文献に記載のサムターン構造Ｙに適用した場合にはニユット的にアンバランスになる等の問題点があるからである。
【特許文献１】特許公開２００３−１６６３６７号公報
【特許文献２】特許公開２００６−１９３９２２号公報
【発明の開示】
【発明が解決しようとする課題】
【０００６】
本発明の所期の目的は、固定筒に組み込んだ制御部材と適宜箇所に組み込んだ出力部材との連係手段により、回転運動を往復運動に変換することができる錠前用シリンダ構造を提案することである。第２の目的は、薄い扉厚に適用することができることである。第３の目的は、組み合わせの容易化を図ること（特に、第２実施例では、構造的に部品点数を少なくすること）である。第４の目的は、操作部材の初期導入時の操作感（制御部材が出力部材を押し始めた感じ）を良くすることである。第５の目的は、非特許文献に記載のサムターン構造Ｙと組み合わせて使用することができることである。
【課題を解決するための手段】
【０００７】
本発明の錠前用シリンダ構造は、固定筒の嵌合孔に内筒及び制御部材を組み込み、また、制御部材と前記固定筒の後端部側に固定した押え板との空間部分に、前記制御部材に係合すると共に、腕状の係合部が前記押え板を通って錠箱内へと延びる出力片を設け、該出力片は、前記制御部材が前記内筒に差し込まれた操作部材の操作力により、制御部材の他端部及び出力片の腕状の係合部に亘って設けられた係合手段を介して回転運動すると、往復運動に変換されることを特徴とする。
【０００８】
上記構成に於いて、係合手段は、制御部材の他端部の偏芯部位に設けられた偏芯係合部であり、一方、一端部が固定筒の後端部側に軸支された出力片の腕状係合部に設けられた被係合部である。また、係合手段の偏芯係合部と被係合部との係合関係は、制御部材が回転しようとする初期導入時には偏芯係合部は被係合部に当接せず、該偏芯係合部の位置が多少変位した後に当接する。具体的には、係合手段の偏芯係合部は、カム突起であり、一方、被係合部は、カム突起の外形寸法に対して、２倍乃至４倍の内径寸法の間隙を有する切欠である。
【０００９】
また、本発明の錠前用シリンダ構造は、固定筒の嵌合孔に内筒及び制御部材を組み込み、また、前記固定筒の基端部側に前記制御部材に係合すると共に、腕状の係合部が錠箱内へと延びる出力片を支持部材を介して軸支し、該出力片は、前記制御部材が前記内筒に差し込まれた操作部材の操作力により、制御部材の他端部及び出力片の腕状の係合部に亘って設けられた係合手段を介して回転運動すると、往復運動に変換されることを特徴とする（第２実施例）。
【００１０】
なお、「２倍乃至４倍の内径寸法の間隙」の用語は、発明の効果を勘案してかつ当業者の常識で認定判断されものとする。
【発明の効果】
【００１１】
（１）回転運動を往復運動に変換することができる錠前用シリンダ構造を提案することができる。したがって、例えば錠箱内装の受圧可動片（或いはロック片）を所定方向へと作動させることができる。
（２）固定筒の嵌合孔に内筒及び制御部材を合理的に組み込んでいるので、薄い扉厚に適用することができる。
（３）請求項３、請求項４に記載の実施例は、操作部材の初期時の操作感（制御部材が出力部材を押し始めた感じ）を得ることができるから、操作感が良い。
（４）固定筒に外筒の機能を兼用させる実施例の場合には、部品点数を少なくすることができる。したがって、製作や組み立ての容易化を図ることができる。
（５）その他制御部材を構成する各部品を容易に製作することができる、非特許文献に記載のサムターン構造Ｙと組み合わせて使用することができる等の付随的効果もある。
（６）第２実施例は、部品（例えば押え板４０）を省略することができる。したがって、製作や組立てが容易である。
【発明を実施するための最良の形態】
【００１２】
以下、図１乃至図１０に示す本発明を実施するための最良の形態（第1実施例）により説明する。
【００１３】
（１）発明の実施の環境
図１及び図２は、発明の実施の環境を示す各概略説明図であると共に、本発明の用途の一例を示す。図３及び図４は本発明の各概略断面説明図である。
【００１４】
図１乃至図４に於いて、Ｘは錠前用シリンダ構造、一方、Ｙは錠前用サムターン構造である。錠前用シリンダ構造Ｘは、扉１の内壁面１ａに取付けることも可能であるが、図１及び図２では、前記内壁面１ａに錠前用サムターン構造Ｙを取付けていることから、扉１の外壁面１ｂに錠前用シリンダ構造Ｘを取付けている。シリンダ構造Ｘとサムターン構造Ｙは、複数の固着具２を介して一体的に連結される。
【００１５】
ここで、図１を参照にして、サムターン構造Ｙについて説明する。環境図のサムターン構造Ｙは、扉１の内壁面１ａに取り付けられた取付け台座３と、この取付け台座３の表側に揺動自在に設けられた操作板４とから成る。そして、前記取付け台座３には窓部５が形成され、一方、前記操作板４の内壁面には、押圧腕部材８が設けられている。押圧腕部材８は、前記窓部５を貫通し、かつ、扉１に組み込んだ錠箱６内の図示しないロック機構を構成する受圧可動片（或いはロック片）７に対して押圧可能である。
【００１６】
付言すると、図２で示すように、例えば操作板４の外壁面４ａの上部側を指で押すと、該操作板４は横方向のサムターン支軸９を支点に所要量揺動することから、押圧腕部材８の先端部で受圧可動片７をロック方向へと押し下げることができる。
本発明のシリンダ構造Ｘは、サムターン構造Ｙと同様に前記受圧可動片７を上下或いは左右方向へ作動させるためのものである。以下、本発明の特定要件について順次説明する。
【００１７】
（２）主な構成部材−固定筒１１
シリンダ構造Ｘの主な構成部材は、図１、図２、図３及び図４に示されている。図３及び図４を参照にすると、まず、１１は扉１の外壁面１ｂに突出状態に固定された筒状の固定部材（以下、「固定筒」という。）である。本実施例の固定筒１１は、シリンダ構造Ｘの外筒体の機能も兼用している。これにより、部品点数が少なくなっている。
固定筒１１は、基端部（後端部）側１１ａと、該基端部側１１ａに連設する鍔状の肉厚前端部側１１ｂとから成り、肉厚前端部側１１ｂの先端面から基端部側１１ａの後端面まで固着具２用の貫通孔が形成されている。貫通孔は、例えば上下に合計２個形成されている。
【００１８】
また、固定筒１１は、前述したように外筒体の機能も兼用していることから、中心部に内筒１５及び制御部材２０を組み込むための嵌合孔１２を有している。固定筒１１の外観形状に関しては特に問わないが、例えば図５で示すように、正面視、四角型のイメージが出るように形成されている。もちろん、円筒形状でも良い。
【００１９】
上記構成の固定筒１１は、扉１に穿設した開口状の取り付け部分に基端部側１１ａを挿入した後、固着具２を介してサムターン構造Ｙの取付け台座３に連結される。例えば複数本の固着具２が取付け台座３の一対の螺合部３ａ、３ａにそれぞれ螺着する。
【００２０】
次に、１３は筒状のカバー体である。カバー体の形状は、固定筒１１の外観形状に対応して形成されている。図５を参照にすると、１３ａは内筒１５のキー挿入孔１６を露呈するための中心孔を有する矩形状前壁部分、１３ｂは前壁部分１３ａに連設すると共に、鍔状の肉厚前端部側１１ｂの段差状係合部に係合する周壁部分である。周壁部分１３ｂの端面は扉１の内壁面１ｂに当接可能である。
【００２１】
（３）構成部材−内筒１５
内筒１５は固定筒１１の嵌合孔１２内に回転自在に組み込まれている。図５で示すように、内筒１５のキー挿入孔１６は、カバー体１３の中心孔から現れている。したがって、図４で示すように合鍵Ｋの短いブレード部分１７を前記キー挿入孔１６に差し込み、かつ、内筒１５を所定量回転することができる。ところで、本実施例の合鍵Ｋのブレード部分１７の先端部１７ａは、図４で示すように内筒１５の内端面から突出し、かつ、後述する制御部材２０のリング状係合片２１に係合する。
【００２２】
内筒１５と固定筒１１と障害子に関する内部構造についての図面は省略する。しかし、これらの構成に関しては、普通一般のシリンダ錠と同様に、例えば固定筒１１と内筒１５との間に亘って図示しない複数の障害子（例えばピンタンブラー）がキー挿入孔１６の挿入方向に配設されている。
【００２３】
したがって、鍵Ｋのブレード部分１７を前記キー挿入孔１６に差し込むと、障害子が所定位置に移動し、シアーラインを内筒１５と固定筒１１との境界に一致させることできる。
【００２４】
（４）構成部材−制御部材２０
図６を参照にして制御部材２０の構成を説明する。制御部材２０は、内筒１５と共に固定筒１１の嵌合孔１２に回動可能に内装される。本実施例の制御部材２０は、例えばニ物品で構成され、図１で示すように、内筒１５の内端面側に位置付けられている。
【００２５】
その一つは、鍵Ｋのブレード部分１７の先端部１７ａが係合するリング状の係合片２１であり、もう一つは前記係合片２１に単数又は複数の係合関係部分２３を介して一体的に外嵌合するキャップ状のカム板２２である。例えば前記係合関係部分２３は、係合片２１とカム板２２に亘って設けられた複数の係合突起及び係合溝である。
【００２６】
すなわち、２３ａは係合片２１の外周に突設された一対の小突起、一方、２３ｂはカム板２２の垂直一端面２２ａに形成され、かつ、前記小突起２３ａがそれぞれ係合する一対の小係合溝である。
【００２７】
ところで、前記リング状係合片２１の内周は異径形状であり、適宜箇所に複数個の鍵用係合部分２４が設けられている。これらの係合部分２４には、鍵Ｋのブレード部分１７（実施例では先端部１７ａ）が選択的に係合する。
【００２８】
また、前記キャップ状カム板２２の垂直他端面２２ｂの偏芯部位には、小さなカム突起２５が設けられている。このカム突起２５は、後述する出力片の被係合部（例えば係合溝、切欠部分等）に係合する。さらに、カム板２２の垂直一端面２２ａには、前記ブレード部分１７の先端部１７ａが入り込むことができるようにすり鉢状の横向き凹所２６が形成されている。
【００２９】
（５）構成部材−出力片３０
出力片３０は、図１で示すように、制御部材２０と押え板４０との間（空間部分）に揺動自在に設けられている。図７はカム板２２と共に出力片（従動片）３０の一例を示す。出力片３０は、二枚の板をＬ型形状に結合した、或いは一枚の板を直交状に折り曲げた形態に形成されている。
【００３０】
しかして、一端部に枢支孔３２を有し、一方、他端部にカム板２２のカム突起２５用の小係合溝３３を有する第１係合板（第１係合部）と、この第１係合板３１の他端部に直交状態に連結された腕状第２係合板（第２係合部）３４とから成る。
【００３１】
前記腕状第２係合板３４は、サムターン構造Ｙの押圧腕部材８と同様の機能を有し、錠箱６内の受圧可動片７に対して押圧可能である。なお、本実施例の出力片３０は、図８で示すように、固定筒１１の後端面側に設けた小さな支軸３５に軸支されている。
【００３２】
（６）構成部材−押え板４０
任意形状の押え板４０は、図９で示すように、固定筒１１の後端面に複数個のネジ等の固定手段４１を介して固定されている。この押え板４０は、適宜箇所に出力片（従動片）３０の腕状第２係合板３４を通すための案内長孔４２を有している。付言すると、出力片３０の腕状第２係合板３４は、前記案内長孔４２を貫通した状態で錠箱６内の受圧可動片７に係合している。なお、図８及び図９に於いて、規制突片、枠部等の細部的事項の説明は割愛する。
【００３３】
（７）作用
図１０は、操作部材（例えばブレードが普通一般に使用されている合鍵よりも短い合鍵）Ｋの操作力により回転する制御部材２０の回転運動により出力片３０が往復運動（上下或いは左右方向への動き）に変換される旨を示している。
【００３４】
すなわち、黒塗りの点はカム板２２の偏芯部位にあるカム突起２５を意味し、該カム突起２５は、矢印で示すように所定の範囲内で上下方向へ位置変位する。このようにカム突起２５が上下方向へ位置変位すると、該カム突起２５と係合関係にある出力片３０の第１係合板３１は、係合手段（例えばカム突起と係合溝）を介して固定筒１１の支軸３５を支点に上下方向へ位置変位する。
【００３５】
したがって、出力片３０の腕状第２係合板３４も上下方向へ位置変位することになるから、錠箱６内の受圧可動片７は第２係合板３４を介して所定方向（ロック方向又はロックを解消する方向）へ移動する。
【実施例】
【００３６】
まず、発明の実施の形態で示した第１実施例に於いて、制御部材２０を構成するリング状係合片２１とキャップ状カム板２２は、固着手段、接着手段等の他の手段により適宜に一体化できる。また、制御部材２０は、部品の加工上の容易性或いは製作の容易性の観点から、係合片２１と、この係合片２１に一体的に結合するカム板２２のニ物品で構成されているが、「一つの物品」で構成することも可能である。この場合、一物品の制御部材２０の一端面には、鍵Ｋのブレード部分（先端部も含む）１７が係合する係合部分２４を形成する必要がある。
【００３７】
さらに、本実施例では、内筒１５の後端面側に回転体としての制御部材２０が設けられているが、該制御部材２０の形態に関しては、短い円柱、短い中空円柱等の円柱をベースとして、前端側に鍵Ｋのブレード部分の先端部１７ａの回転を許容する凹所等の空間部分２６を形成し、一方、後端面側に偏芯係合部（カム突起）２５を設けることができるから、前記空間部分２６や偏芯係合部２５の形状については適宜に設計変更することができる。加えて、前記偏芯係合部２５は、本実施例では小突起状のカム突起であるが、出力片３０の方に小突起を設けた場合には、制御部材２０側は係合溝、係合長孔等の被係合部にすることもできる。
【００３８】
次に、第１実施例では、出力片（従動片）３０が制御部材２０から離れないように支持する押え板４０が発明の特定要件であるが、図１１乃至図１３（第２実施例）で示すように、押え板４０を省略する反面、軸状の支持部材３５Ａのオネジ部３５ｂを固定筒１１の基端部側１１ａに設けたメネジ部１１ｃに螺合し、該支持部材３５Ａの頭部３５ａ側で出力片３０が制御部材２０から離れないように支持することもできる。
【００３９】
もちろん、設計如何によっては、支持部材３５Ａの前記頭部３５ａに代えて、出力片３０の第１係合板３１の一側面を錠箱１の幅広側壁に添設状態にすることも可能である。
したがって、第２実施例の発明は、固定筒１１の嵌合孔１２に内筒１５及び制御部材２０を組み込み、また、前記固定筒１１の基端部側１１ａに前記制御部材２０の偏芯カム突起２５に係合すると共に、腕状の係合部３４が錠箱１内へと延びる出力片３０を、軸状の支持部材３５Ａを介して軸支し、該出力片３０は、前記制御部材２０が前記内筒１５に差し込まれた操作部材Ｋの操作力により回転運動すると、往復運動に変換される。
【００４０】
上記のように構成すると、第１実施例と同一の目的・効果を得ることができると共に、さらに、部品点数を減らすことができる。
【００４１】
さらに、図１４（第３実施例）で示すように、制御部材２０Ｂと出力片３０Ｂの係合手段（カム突起２５Ｂと係合溝３３Ｂ）の係合関係に間隙を増やす工夫をしても良い。
【００４２】
すなわち、第３実施例は、第1実施例の目的に対して、操作部材Ｋの初期導入時の操作感（制御部材２０Ｂが出力片３０Ｂを押し始めた感じ）を良くするという目的を加味したものである。
【００４３】
普通一般にある物を押す際に、初期時から直ちに押圧すると、「物の抵抗感」があり、いわゆる押圧している感じを容易に掴めない。そこで、第２実施例では、操作部材Ｋの初期導入時の操作感を良好にするために、係合手段の偏芯係合部２５Ｂと被係合部３３Ｂとの係合関係について、制御部材２０Ｂが回転しようとする初期導入時には偏芯係合部２５Ｂは被係合部３３Ｂに当接せず（黒塗りのａ点）、該偏芯係合部の位置が多少変位した後（仮想のｂ点を経て実線のｃ点に達した時）に当接するように構成した。
【００４４】
すなわち、この実施例の係合手段の偏芯係合部２５Ｂは、第1実施例と同様にカム突起であり、一方、被係合部３３Ｂも第1実施例と同様に切欠の係合溝であるが、前記カム突起２５Ｂの外形寸法に対して、係合溝３３Ｂの内径寸法の間隙が、望ましくは２倍乃至４倍である。なお、実施例の間隙は３倍弱である。
【００４５】
図１４の（ａ）は、例えば施錠時に制御部材２０Ｂが反時計方向に回転した場合を示す概略説明図である。この時、概念図で示すように、制御部材２０Ｂの初期導入時ａ、黒塗りのカム突起２５Ｂは、係合溝３３Ｂの一方の内壁面３３ａに接触状態で位置している。そして、制御部材２０Ｂが回転し始めると、係合溝３３Ｂ内の非接触点ｂへと移行し、その後に勢い良く係合溝３３Ｂの他方の内壁面３３ｂに衝突する。したがって、操作者はこの衝突点ｃにて「当たった」或いは「押圧した」という操作感を得ることができる。
【００４６】
一方、図１４の（ｂ）は、例えば解錠時に制御部材２０Ｂが時計方向に回転した場合を示す概略説明図である。この場合制御部材２０Ｂの動きは逆の作動態様となるが、操作者は施錠時と同様に「当たった」或いは「押圧した」という操作感を得ることができる。
なお、係合手段の偏芯係合部２５Ｂと被係合部３３Ｂの設ける位置が逆の態様の場合も実質的に同一である。
【産業上の利用可能性】
【００４７】
本発明は、主に建具や錠前の業界で利用される。
【図面の簡単な説明】
【００４８】
図１乃至図１０は本発明の最良の第１実施例を示す各説明図。図１１乃至図１３は本発明の最良の第２実施例を示す各説明図。図１４本発明の最良の第３実施例を示す説明図。
【図１】発明の実施の環境を示す概略説明図。
【図２】発明の実施の環境を示す概略説明図（操作板を押した場合）。
【図３】本発明の概略断面説明図。
【図４】本発明の概略断面説明図（合鍵を差し込んで回転した場合）。
【図５】カバー体の一部を切欠した正面視からの説明図。
【図６】要部（制御部材）の概略説明図（構成要素の概略断面図も含む）。
【図７】要部（制御部材のカム板と出力片）の概略説明図。
【図８】固定筒の後端面側から見た制御部材と出力片との位置関係を示す概略説明図。
【図９】固定筒の後端面側から見た主たる材の位置関係を示す概略説明図。
【図１０】作用の概略説明図。
【図１１】第２実施例の概略断面説明図（合鍵を差し込んで回転した場合）。
【図１２】第２実施例の要部（制御部材のカム板と出力片と支持部材）の概略説明図。
【図１３】図８と同様の概略説明図。
【図１４】図１４の（ａ）と（ｂ）は、施錠時と解錠時における係合手段の係合関係を示す概略説明図。
【符号の説明】
【００４９】
Ｙ…サムターン構造、Ｘ…シリンダ構造、1…扉、１ｂ…外壁面、１ａ…内壁面、２…固着具、３…取付け台座、４…操作板、６…錠箱、８…押圧腕部材、９…サムターン支軸、１１…固定部材（固定筒）、１１ａ…基端部（後端部）側、１１ｂ…肉厚前端部側、１２…嵌合孔、１３…カバー体、１５…内筒、１６…キー挿入孔、Ｋ…合鍵、１７…ブレード部分、１７ａ…先端部、２０、２０Ｂ…制御部材、２１…リング状係合片、２２…カム板、２３…係合関係部分、２４…鍵用係合部分、２５…偏芯係合部、２６…横向き凹所、３０、３０Ｂ…出力片（従動片）、３１…第１係合板、３２…枢支孔、３３、３３Ｂ…被係合部（係合溝）、３４…第２係合板、３５…支軸、３５Ａ…支持部材、４０…押え板、４１…固定手段、４２…案内長孔。
【図１】
2008002257.tif 000003
【図２】
2008002257.tif 000004
【図３】
2008002257.tif 000005
【図４】
2008002257.tif 000006
【図５】
2008002257.tif 000007
【図６】
2008002257.tif 000008
【図７】
2008002257.tif 000009
【図８】
2008002257.tif 000010
【図９】
2008002257.tif 000011
【図１０】
2008002257.tif 000012
【図１１】
2008002257.tif 000013
【図１２】
2008002257.tif 000014
【図１３】
2008002257.tif 000015
【図１４】
2008002257.tif 000016